(57)【要約】【課題】引戸の開閉操作時に大きな力を使うことなく、引戸の跳ね返りを防止することのできる引戸のロック機構を提供すること。【解決手段】引戸枠部材４内を走行する引戸５を全閉位置でロックする引戸のロック機構において、引戸５の側に配設した、２方向クラッチ２２の回動軸２２ａに固定した揺動部２と、引戸枠部材４の側に配設した、引戸５の閉鎖時に揺動部２が当接することによって揺動部２を揺動させる当接部３１及びこの当接部３１に当接して揺動する揺動部２を係止する係止部３とからなる。【選択図】図１
2009174221.tif 000002
【特許請求の範囲】
【請求項１】
引戸枠部材内を走行する引戸を全閉位置でロックする引戸のロック機構において、引戸又は引戸枠部材の一方の側に配設した、２方向クラッチの回動軸に固定した揺動部と、引戸又は引戸枠部材の他方の側に配設した、引戸の閉鎖時に前記揺動部が当接することによって揺動部を揺動させる当接部及び該当接部に当接して揺動する揺動部を係止する係止部とからなることを特徴とする引戸のロック機構。
【請求項２】
当接部及び係止部を一体の当接・係止部に形成してなることを特徴とする請求項１記載の引戸のロック機構。
【発明の詳細な説明】
【技術分野】
【０００１】
本発明は、引戸のロック機構に関し、特に、引戸枠部材内を走行する引戸を全閉位置でロックする引戸のロック機構に関するものである。
【背景技術】
【０００２】
従来、引戸枠部材内を走行する上吊り式の引戸では、引戸の閉じ側に、オイルの粘性抵抗によって回転方向に制動力を発生するロータリダンパ等からなる制動装置を配設し、引戸の閉鎖速度を減衰させ、引戸の閉鎖時に人が挟まれたり、人に当たった際の衝撃を低減させるとともに、引戸枠部材の閉鎖側の竪枠に引戸の戸先が当たって跳ね返ることを防止するようにしている（例えば、特許文献１及び２参照）。
【０００３】
【特許文献１】特許第２７３０８７１号公報
【特許文献２】特開平８−２４６７４４号公報
【発明の開示】
【発明が解決しようとする課題】
【０００４】
ところで、引戸の跳ね返りを防止するために、構造が複雑で、かつ、高価なロータリダンパ等からなる制動装置を使用すると、引戸全体のコストアップになるという問題があった。
【０００５】
本発明は、上記従来の引戸の有する問題点に鑑み、合理的、かつ、低廉化が可能な構成で、引戸の開閉操作時に大きな力を使うことなく、引戸の跳ね返りを防止することのできる引戸のロック機構を提供することを目的とする。
【課題を解決するための手段】
【０００６】
上記目的を達成するため、引戸枠部材内を走行する引戸を全閉位置でロックする引戸のロック機構において、引戸又は引戸枠部材の一方の側に配設した、２方向クラッチの回動軸に固定した揺動部と、引戸又は引戸枠部材の他方の側に配設した、引戸の閉鎖時に前記揺動部が当接することによって揺動部を揺動させる当接部及び該当接部に当接して揺動する揺動部を係止する係止部とからなることを特徴とする。
ここで、「２方向クラッチ」は、回転が規制されている方向に一定のトルクがかかると、その方向の回転規制が解除され、逆方向の回転が規制されるクラッチをいう。
【０００７】
この場合において、当接部及び係止部を一体の当接・係止部に形成することができる。
【発明の効果】
【０００８】
本発明の引戸のロック機構によれば、引戸又は引戸枠部材の一方の側に配設した、２方向クラッチの回動軸に固定した揺動部と、引戸又は引戸枠部材の他方の側に配設した、引戸の閉鎖時に前記揺動部が当接することによって揺動部を揺動させる当接部及び該当接部に当接して揺動する揺動部を係止する係止部とからなることから、引戸の閉鎖時には、当接部に当接して揺動する揺動部を係止部によって係止するようにする。このとき、引戸に対して跳ね返りによる開き側への力が作用しても、係止部によって係止された揺動部が係止状態を解除するために反対方向に揺動することを２方向クラッチによって規制することにより、引戸の全閉状態を保持することができる。
一方、引戸の開放時には、人手による開放する方向への力によって、揺動部の動きを規制していた２方向クラッチの規制が解除され、係止部による揺動部の係止状態を解除して、引戸を小さな力で開放することができる。
【０００９】
また、当接部及び係止部を一体の当接・係止部に形成することにより、当接部に当接して揺動する揺動部を、係止部に円滑に導き、そのまま係止部によって係止することができる。
【発明を実施するための最良の形態】
【００１０】
以下、本発明の引戸のロック機構の実施の形態を、図面に基づいて説明する。
【００１１】
図１〜図４に、本発明の引戸のロック機構の一実施例を示す。
【００１２】
この引戸のロック機構１は、引戸枠部材４内を走行する引戸５を全閉位置でロックするようにするもので、引戸５又は引戸枠部材４の一方の側に配設する、２方向クラッチ２２の回動軸２２ａに固定した揺動部２と、引戸５又は引戸枠部材４の他方の側に配設する、引戸５の閉鎖時に揺動部２が当接することによって揺動部２を揺動させる当接部３１及びこの当接部３１に当接して揺動する揺動部２を係止する係止部３２とから構成するようにしている。
この場合において、揺動部２と、当接部３１及び係止部３２とは、いずれを引戸５又は引戸枠部材４の側に配設しても構わないが、本実施例においては、揺動部２を引戸５の側に、当接部３１及び係止部３２を引戸枠部材４の側に配設するようにしている。
【００１３】
引戸５は、居室の出入り口を開閉するもので、本実施例においては、引戸枠部材４の上部に固定したレール６上を走行可能に載置する戸車７と、戸車７を回動自在に配設するブラケット７ａをその上部に備えるようにしている。
なお、レール６を床面に敷設し、戸車７を引戸５の下面に配設する形式の引戸であっても構わない。
また、本実施例においては、特に閉鎖手段を配設していないが、レール６を傾斜させたり、巻取装置を配設した閉鎖手段を備えた形式の引戸であっても構わない。
【００１４】
揺動部２は、回転が規制されている方向に一定のトルクがかかると、その方向の回転規制が解除され、逆方向の回転が規制される２方向クラッチ２２と、この２方向クラッチ２２の回動軸２２ａに固定されている本体部分２１とからなり、引戸５の任意の位置、本実施例においては、引戸５の上部に配設するようにしている。
揺動部２は、本体部分２１の先端に、当接部３１に当接して揺動したとき、係止部３２側に突出するフック部分２１ａを形成している。
また、揺動部２の本体部分２１は、規制部２４によって、常時は、水平状態となるように配設されている。
【００１５】
なお、揺動部２の本体部分２１は、図５に示す変形実施例のように、引戸５の閉鎖時に揺動して係止部３２によって係止されるものであれば、その先端にフック部分２１ａを形成することなく、円弧状に形成するだけの構造であっても構わない。
【００１６】
また、２方向クラッチ２２は、回転が規制されている方向に一定のトルクがかかると、その方向の回転規制が解除され、逆方向の回転が規制されるクラッチであれば、その構造等は、特に限定されるものではない。
さらに、２方向クラッチ２２の配設位置も、特に限定されるものではないが、本実施例においては、引戸５の上部に配設するブラケット７ａに、ビス等の締結手段によって固定されている取付板２３に配設するようにしている。
【００１７】
当接部３１及び係止部３２は、引戸５の全閉位置における引戸５に配設した揺動部２に対応する引戸枠部材４の位置に配設するようにしている。
この場合において、当接部３１は、引戸５が全閉位置になる直前に、引戸５に配設した揺動部２の本体部分２１の先端が当接し、係止部３２側に揺動させるように傾斜して配設されている。
また、係止部３２は、当接部３１に当接して揺動した揺動部２の本体部分２１の先端を係止することができる円弧状に形成するようにしている。
【００１８】
そして、当接部３１及び係止部３２は、当接・係止部３として一体に形成するようにしている。
これにより、当接部３１に当接して揺動する揺動部２の本体部分２１を、係止部３２に円滑に導き、そのまま係止部３２によって係止することができるようにしている。
【００１９】
なお、揺動部２並びに当接部３１及び係止部３２の配設位置は、本実施例においては、引戸５の戸先付近にしたが、当接部３１及び係止部３２が戸車７に干渉せずに引戸５の走行に支障をきたさない場所であれば特に限定されるものではない。
【００２０】
次に、この引戸のロック機構１の動作を説明する。
【００２１】
まず、引戸５を全閉位置に移動させたときの引戸のロック機構１の動作を説明する。
図２（ａ）に示すように、引戸５を開放した位置から全閉位置に向かって移動させると、揺動部２の本体部分２１の先端が当接部３１に当接する。
【００２２】
そして、図２（ｂ）に示すように、揺動部２の本体部分２１が傾斜した当接部３１に沿って、上方向に移動することによって、２方向クラッチ２２の回動軸２２ａは、図例、時計回りに回動し始める。
すなわち、２方向クラッチ２２の回動軸２２ａは、引戸５を閉鎖側に移動される力によって時計回りに自由に回動することとなる。
【００２３】
次いで、図３（ａ）に示すように、引戸５が全閉位置（引戸５の戸先が引戸枠部材４の閉鎖側の竪枠４ａの凹部内に入った状態）まで移動したとき、揺動部２の本体部分２１の先端に形成されたフック部分２１ａが、係止部３２と対向する位置まで揺動する。
そして、全閉位置から引戸５の戸先が竪枠４ａに当たった衝撃で、引戸５が跳ね返ろうとしたときでも、フック部分２１ａが係止部３２に当接し反対方向に揺動しようとするが、２方向クラッチ２２によって２方向クラッチ２２の回動軸２２ａの反時計回りへの回動が規制されていることによって、図３（ｂ）に示す位置よりも開放側（図例右側）に引戸５が移動することを阻止し、引戸５の跳ね返りを防止することができる。
【００２４】
次に、全閉位置にある引戸５を開放するときの引戸のロック機構１の動作を説明する。
図４（ａ）に示すように、引戸５を開放する方向（図例右側）に移動させようとすると、フック部分２１ａが係止部３２に当接したまま揺動部２の本体部分２１が右側に移動することになるため、フック部分２１ａは、図例左方向の力を受け、２方向クラッチ２２の回動軸２２ａは、反時計回りのトルクを受けることとなる。
これにより、２方向クラッチ２２は、規制方向が反転し、反時計回りに自由に回動するようになる。
【００２５】
そして、図４（ｂ）に示すように、本体部分２１は自重によって揺動し、水平状態で停止し、引戸５を開放する方向に移動することができる。
【００２６】
以上、本発明の引戸のロック機構について、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明の引戸のロック機構は、合理的、かつ、低廉化が可能な構成で、引戸の開閉操作時に大きな力を使うことなく、引戸の跳ね返りを防止することができるという特性を有していることから、引戸の開閉操作時に大きな力を使うことなく開閉操作を行う必要のある、例えば、福祉施設の引戸のロック機構の用途に好適に用いることができる。
【図面の簡単な説明】
【００２８】
【図１】本発明の引戸のロック機構の一実施例を示し、（ａ）は一部切り欠きの正面図、（ｂ）は（ａ）のＸ−Ｘ断面図である。
【図２】引戸を閉鎖する際の引戸のロック機構の動作を説明する正面図で、（ａ）は揺動部の本体部分と、当接部とが当接を開始した状態を、（ｂ）は揺動部の本体部分が、傾斜した当接部に沿って揺動を開始した状態を示す。
【図３】図２に続く同引戸のロック機構の動作を説明する正面図で、（ａ）は引戸が全閉位置まで移動した状態を、（ｂ）は引戸が跳ね返って、揺動部の本体部分の先端に形成したフック部分が、係止部に当接した状態を示す。
【図４】引戸を開放する際の引戸のロック機構の動作を説明する正面図で、（ａ）は開放初期に揺動部の本体部分の先端に形成したフック部分が、係止部に当接した状態を、（ｂ）は２方向クラッチの規制方向が反転し、ロックが解除されて引戸を開放する方向に移動する状態を示す。
【図５】揺動部及び係止部の変形実施例を示す正面図で、（ａ）は揺動部の本体部分の先端と、当接部とが当接を開始した状態を、（ｂ）は揺動部の本体部分が、当接部に沿って揺動し、引戸が全閉位置まで移動した状態を、（ｃ）は引戸が跳ね返って、揺動部の本体部分の先端が、係止部に当接した状態を示す。
【符号の説明】
【００２９】
１    引戸のロック機構
２    揺動部
２１  本体部分
２１ａ  フック部分
３    当接・係止部
３１  当接部
３２  係止部
４    引戸枠部材
５    引戸
【図１】
2009174221.tif 000003
【図２】
2009174221.tif 000004
【図３】
2009174221.tif 000005
【図４】
2009174221.tif 000006
【図５】
2009174221.tif 000007